(57)【特許請求の範囲】
【請求項１】
地表に適宜間隔で立設された支柱間にパネルが取着されてなる防護柵に於いて、支柱に接続金具が固着され、この接続金具を介して取付金具が支柱に取着されると共に該取付金具にパネルが取着されるようになされ、前記接続金具は、円弧状に形成された基部の両端に取付部が形成されると共に前記基部の円弧面に長孔からなるガイド溝が形成されたものであって、取付部に穿設されたねじ孔を介してボルトにより支柱に固着されると共に、前記ガイド溝に挿入された固定ピンが、その頭部を支柱の外面と接続金具の内面との間にして、ガイド溝内を摺動可能となされたものであり、前記取付金具は、基部の一端が曲折されて曲折部が形成されると共に該曲折部の端部がこの曲折方向とは逆に折曲されて取付部となされて、前記曲折部により、基部と取付部との間に支柱の外径の略半分の段差が形成されたものであって、前記曲折部の凹面側を支柱の外面に向けて配置され、基部に設けられた取付孔に前記接続金具の固定ピンが挿通固定されて支柱に取着され、そして取付部にパネルが取着されるようになされたものであることを特徴とする防護柵。
【発明の詳細な説明】
【０００１】
【発明の属する技術分野】
本発明は、フェンスやガードレールなどの防護柵に関し、特に設置場所に高低差があるときや設置が一直線状でないときに好適に用いられる防護柵に関する。
【０００２】
【従来の技術】
従来、防護柵は地表に複数本の支柱が適宜間隔をおいて立設され、この支柱間にパネルが取付金具を介して取り付けられている。従来、このパネルを取付金具を介して支柱間に取付ける構造としては、実公昭５８−４７０５６号公報に記載される如く、中空筒状体からなる取付金具を支柱の側面に取り付け、この取付金具の両端にそれぞれパネルを構成するビーム端部を挿入して取り付けるようになされたフロントビーム形式と、実公昭５９−５０５６号公報に記載される如く、有底筒状体からなる取付金具の底部を支柱のほぼ中心に向けて取り付け、この取付金具の開口端部にパネルを形成するビームの端部を挿入して取付けるセンタービーム形式とがある。又、本出願人は特開平８−１３４８５９号公報に於いて、支柱側面に裏面が当接されて取付けられる取付金具と、該取付金具に取付けられるビーム金具とを備え、取付金具は表面が凸球面となされ、該凸球面に奥広の溝が長手方向に設けられ、この奥広の溝に止め具が摺動可能に設けられ、ビーム金具は一端部にビームを取付ける取付部が設けられ、他端部に前記取付金具の凸球面に適合する凹球面が形成され、該ビーム金具の凹球面が前記止め具に止着されていることを特徴とする支柱とビームとの取付構造を提案している。
【０００３】
上記２種類の取付構造を、図７および図８を参照しながら詳細に説明する。まず図７はフロントビーム形式を示したもので、（イ）は平面図、（ロ）は正面図である。図７に示される如くフロントビーム形式の取付構造は、支柱Ａの側面に両端が開口された中空筒状体からなる取付金具Ｂを取付け、この取付金具Ｂの両端にそれぞれビームＣ端部を挿入して取付けるものである。このフロントビーム形式では、取付金具Ｂは支柱Ａに貫通ボルトＤで簡単に固定できるし、坂道等の傾斜地ではその傾斜に応じて、（ロ）の１点鎖線で示すように、貫通ボルトＤを中心に取付金具Ｂを回動させることにより、ビームＣを傾斜状に取付けることもでき、またビームＣを一直線上に取付けることができ、所謂、ビームの通りが出し易いという長所があった。
【０００４】
次に図８はセンタービーム形式を示したもので、（イ）は平面図、（ロ）は正面図、（ハ）は道路の曲線部分に立設された支柱にビームを取り付けた状態を示す平面図である。センタービーム形式による取付構造は、一端が開口された有底筒状体からなる取付金具Ｅの底部を支柱Ａの側面に、支柱Ａのほぼ中心に向けて取付け、この取付金具Ｅの開口端にビームＣ端部を挿入して取付けるものである。このセンタービーム形式では、取付金具Ｅを支柱Ａに貫通ボルトＦやＴ型ボルトＧ等の取付ボルトで簡単に取付けることができるし、坂道等の傾斜地では取付金具ＥとビームＣとの間にある隙間分だけ一点鎖線の如くビームＣを傾斜させて取付けることもでき、また道路の曲線部分では、（ハ）に示すように、一方の取付金具Ｅを支柱Ａの周方向に移動させた状態でＴ型ボルトＧで固定することによりビームＣを折曲して取付けることができるという長所があった。
【０００５】
又、本出願人が特開平８−１３４８５９号公報に提案している支柱とビームの取付構造では、取付金具の凸球面にビーム金具の凹球面が当接され、該凹球面を取付金具の溝の中に摺動可能に挿入されている止め具に止着され、ビーム金具の取付部がビームの取付ける方向に向けられる。この際、取付金具の凸球面とビーム金具の凹球面とが適合しているので、止め具を溝に沿って摺動させてビーム金具の取付部の水平方向の向きを適宜変更させることができるし、またビーム金具を止め具を中心にして回動させてビーム金具の取付部の上下方向の向きを適宜変更させることができる。
【０００６】
【発明が解決しようとする課題】
しかしながら上記の如きフロントビーム形式では、取付金具Ｂが直線状の筒状体であるから、支柱Ａに対してビームＣを折曲させた状態で取付けることができない。従って、曲線部分にうまく対応できないという問題があった。曲線部分に対応するためにビームＣを設置場所の曲線に沿って曲げることも考えられるが、煩瑣であるし、ビームＣを曲げて取付けようとすると、重量で曲げ部分が下方に垂れて良好に取付けができないという問題があった。更に、このフロントビーム形式では、支柱ＡとビームＣとが同一平面になく、表裏が非対称となるという問題があった。
【０００７】
またセンタービーム形式では、支柱Ａの両側に取付金具Ｅを取付けるので、両側の中心がずれてビームＣを直線状に取付けにくく、所謂、ビームの通りが出しにくく、またこれを直線状に補正することも困難であるという問題があり、また坂道等の傾斜地に設置する場合には、取付金具ＥとビームＣとの間にある隙間分だけしかビームＣを傾斜させることができないため、急な勾配の傾斜地には対応することができなかった。
【０００８】
又、本出願人が特開平８−１３４８５９号公報に提案している支柱とビームの取付構造では、フロントビーム方式と同じく支柱ＡとビームＣとが同一平面になく、表裏が非対称となるという問題があった。
【０００９】
そこで本発明者は従来の欠点に鑑み鋭意研究の結果、曲線部分への対応が容易で、傾斜地への設置に於いてもパネルの頂部が直線状に設置でき、また支柱とビームが同一面上に配設される防護柵を提供するものである。
【００１０】
【課題を解決するための手段】
本発明防護柵は、地表に適宜間隔で立設された支柱間にパネルが取着されてなる防護柵に於いて、支柱に接続金具が固着され、この接続金具を介して取付金具が支柱に取着されると共に該取付金具にパネルが取着されるようになされ、前記接続金具は、円弧状に形成された基部の両端に取付部が形成されると共に前記基部の円弧面に長孔からなるガイド溝が形成されたものであって、取付部に穿設されたねじ孔を介してボルトにより支柱に固着されると共に、前記ガイド溝に挿入された固定ピンが、その頭部を支柱の外面と接続金具の内面との間にして、ガイド溝内を摺動可能となされたものであり、前記取付金具は、基部の一端が曲折されて曲折部が形成されると共に該曲折部の端部がこの曲折方向とは逆に折曲されて取付部となされて、前記曲折部により、基部と取付部との間に支柱の外径の略半分の段差が形成されたものであって、前記曲折部の凹面側を支柱の外面に向けて配置され、基部に設けられた取付孔に前記接続金具の固定ピンが挿通固定されて支柱に取着され、そして取付部にパネルが取着されるようになされたもので、傾斜地や曲線状の設置に容易に対応でき、又、傾斜地への設置に於いてもパネルの頂部が直線状に設置でき、また支柱とビームが同一面上に配設されるので、防護柵の表裏が対称形となり、敷地境界などへの設置にも好適である。
【００１１】
【発明の実施の形態】
以下、図面を参照しながら本発明に付いて説明する。
図１は本発明防護柵に於ける、接続金具１の実施形態の一例を示す（イ）は正面図、（ロ）は平面図である。接続金具１は断面ハット形で、円弧状に形成された基部とこの基部の両端にねじ孔が穿設された取付部１２が形成されている。接続金具１は円弧面に長孔が穿設されてガイド溝１３となされている。
【００１２】
図２は接続金具１と固定ピン２の係合の形態を示す組立図である。接続金具１は円弧状に形成された基部１１に段部が形成され、この段部の開口方向から固定ピン２が挿入され、円弧状に形成されたガイド溝１３に固定ピン２の頭部に形成された四角状の回転止め２１が挿入され、このガイド溝１３に回動不能に係合され、円弧面に沿って摺動するようになされている。
【００１３】
図３に示すように一対の接続金具１はその円弧凹面が支柱４に相対するように当接され基部１１の端部に形成された取付部１２が互いに重ね合わせられて、支柱４を貫通するボルト５により支柱４に固着されている。固定ピン２は支柱４の外面と接続金具１の内面に頭部が挟持され、接続金具１に形成されたガイド溝１３内を摺動可能に取り付けられている。
【００１４】
図４は本発明防護柵に於ける取付金具３の実施形態の一例を示す（イ）は正面図であり、（ロ）は平面図である。取付金具３の基部３１の一端は曲折されこの曲折部３２の端部がこの曲折方向と逆方向に折曲されて取付部３３となされ、この取付部３３と基部３１とに段差Ｘが形成されている。この段差Ｘは後述するように防護柵の支柱４の外径の略半分となされている。取付金具の基部と取付部には取付孔が設けられ、基部の取付孔には固定ピンが挿通固着されるようになされている。
【００１５】
図５及び図６は本発明防護柵に於ける取付金具３の取着状態の一例を示す平面図である。本発明防護柵に於ける取付金具３は前記したように接続金具１を介して支柱４に取着されているので、接続金具１に設けられたガイド溝１３に沿って摺動可能であり、支柱４の両側に取着されるパネル相互の角度が広い範囲で任意に設定できる。又、取付金具３の基部３１と取付部３３に支柱４の外径の略半分の段差が設けられているので、パネルの中心が支柱４の中心と同軸上となされる。
【００１６】
【発明の効果】
上述の如く、本発明防護柵は、地表に適宜間隔で立設された支柱間にパネルが取着されてなる防護柵に於いて、支柱に接続金具が固着され、この接続金具を介して取付金具が支柱に取着されると共に該取付金具にパネルが取着されるようになされ、前記接続金具は、円弧状に形成された基部の両端に取付部が形成されると共に前記基部の円弧面に長孔からなるガイド溝が形成されたものであって、取付部に穿設されたねじ孔を介してボルトにより支柱に固着されると共に、前記ガイド溝に挿入された固定ピンが、その頭部を支柱の外面と接続金具の内面との間にして、ガイド溝内を摺動可能となされたものであり、前記取付金具は、基部の一端が曲折されて曲折部が形成されると共に該曲折部の端部がこの曲折方向とは逆に折曲されて取付部となされて、前記曲折部により、基部と取付部との間に支柱の外径の略半分の段差が形成されたものであって、前記曲折部の凹面側を支柱の外面に向けて配置され、基部に設けられた取付孔に前記接続金具の固定ピンが挿通固定されて支柱に取着され、そして取付部にパネルが取着されるようになされたもので、傾斜地や曲線状の設置に容易に対応でき、又、傾斜地への設置に於いてもパネルの頂部が直線状に設置でき、また支柱とビームが同一面上に配設されるので、防護柵の表裏が対称形となり、敷地境界などへの設置にも好適である。
【図面の簡単な説明】
【図１】  本発明防護柵に於ける、接続金具の実施形態の一例を示す（イ）は正面図、（ロ）は平面図、（ハ）は側面図である。
【図２】  本発明防護柵に於ける、接続金具と固定ピンの係合の形態の一例を示す組立図である。
【図３】  本発明防護柵に於ける、支柱と防護柵の取付状態の一例を示す平面図である。
【図４】  本発明防護柵に於ける、取付金具の実施形態の一例を示す（イ）は正面図であり、（ロ）は平面図である。
【図５】  本発明防護柵に於ける取付金具の取着状態の一例を示す平面図である。
【図６】  本発明防護柵に於ける取付金具の取着状態の一例を示す平面図である。
【図７】  従来のフロントビーム形式を示したもので、（イ）は平面図、（ロ）は正面図である。
【図８】  従来のセンタービーム形式を示したもので、（イ）は平面図、（ロ）は正面図、（ハ）は道路の曲線部分に立設された支柱にビームを取り付けた状態を示す平面図である。
【符号の説明】
１    接続金具
１１  基部
１２  取付部
１３  ガイド溝
２    固定ピン
２１  回転止め
３    取付金具
３１  基部
３２  曲折部
３３  取付部
４    支柱
５    ボルト
【図１】
0003970476.tif 000002
【図２】
0003970476.tif 000003
【図３】
0003970476.tif 000004
【図４】
0003970476.tif 000005
【図５】
0003970476.tif 000006
【図６】
0003970476.tif 000007
【図７】
0003970476.tif 000008
【図８】
0003970476.tif 000009